(57)【特許請求の範囲】
【請求項１】
試料に一次イオンビームを照射し、該試料から放出される二次イオンを質量分析法によって分析する試料分析方法であって、
チャンバー内に配置した試料を冷却する工程と、
前記チャンバー内に水または水溶液を放出し、冷却された前記試料の表面に氷の層を形成する工程と、
前記氷の層が形成された状態で、前記試料表面に前記一次ビームを照射する工程と、
を有し、
前記氷の層を形成する水の量が０．１ｎｇ／ｍｍ２以上２０ｎｇ／ｍｍ２以下である
ことを特徴とする分析方法。
【請求項２】
前記冷却する工程は、前記チャンバ―内を減圧して行われる請求項１に記載の分析方法。
【請求項３】
前記氷の層を形成する工程が、以下の（１）から（４）のいずれかの方法を用いて形成される氷の量を制御して行なわれる請求項１または２に記載の分析方法。
（１）赤外光または可視光の反射率変化を用いる方法
（２）水晶振動子センサーを用いる方法
（３）水の分圧の計測値を用いる方法
（４）水分子イオンと試料構成成分イオンとの質量分析における信号強度相関表を用いる方法
【請求項４】
前記水溶液の溶質成分が、マトリックス、アルカリ金属塩、並びに、酸性物質の中から選ばれる一つの物質であることを特徴とする請求項１乃至３のいずれか一項に記載の分析方法。
【請求項５】
前記試料の構成物がタンパク質、ペプチド、糖鎖、ポリヌクレオチド、及びオリゴヌクレオチドの少なくとも一つであることを特徴とする請求項１乃至４のいずれか一項に記載の分析方法。
【請求項６】
試料に一次ビームを照射し、該試料から放出される二次イオンを分析する分析装置であって、
前記試料を配置するチャンバー、
前記チャンバー内の前記試料の表面に一次ビームを照射するための一次ビーム発生部、
前記チャンバー内の前記試料を冷却する冷却機構、
前記チャンバー内に水または水溶液を放出する放出部、
前記試料から放出される二次イオンを質量分析手段へ導く引き出し電極、
前記放出部から前記チャンバー内に放出される水または水溶液の量を制御する制御手段、を有し、
前記チャンバー内に配置した試料を冷却した状態で前記放出部から水または水溶液を放出して前記試料の表面に氷の層を形成する
ことを特徴とする分析装置。
【請求項７】
一次ビームがイオンビームである請求項６に記載の分析装置。
【請求項８】
以下の（１）から（４）のいずれかの、氷の層を測定するための手段を更に有する請求項６または７に記載の分析装置。
（１）反射率変化を測定するための赤外光または可視光および検出手段
（２）水晶振動子センサー
（３）水の分圧の計測手段
（４）水分子イオンと試料構成成分イオンとの質量分析における信号強度相関情報を取得する手段
【発明の詳細な説明】
【技術分野】
【０００１】
本発明は、イオン、中性粒子、電子、並びに、レーザー光の中から選ばれる一つの一次ビームを用いて、試料を構成する構成物を脱離・イオン化する工程を含む質量分析法および装置に関する。
【背景技術】
【０００２】
マトリックス支援レーザー脱離イオン化法（ＭＡＬＤＩ＝Ｍａｔｒｉｘ  Ａｓｓｉｓｔｅｄ  Ｌａｓｅｒ  Ｄｅｓｏｒｐｔｉｏｎ／Ｉｏｎｉｚａｔｉｏｎ）や飛行時間型二次イオン質量分析法（ＴＯＦ−ＳＩＭＳ＝Ｔｉｍｅ  Ｏｆ  Ｆｌｉｇｈｔ  −  ＳｅｃｏｎｄａｒｙＩｏｎ  Ｍａｓｓ  Ｓｐｅｃｔｒｏｓｃｏｐｙ）を用いて、腫瘍組織などに発現しているタンパク質の発現量を質量信号強度に基づいて網羅的に可視化する分析手法が知られている。
【０００３】
ＭＡＬＤＩやＴＯＦ−ＳＩＭＳによる生体試料の測定において、試料構成成分はイオン化された状態で検出される。特にプロトン付加分子として検出されることが多い。
【０００４】
ＭＡＬＤＩやＴＯＦ−ＳＩＭＳにおける生体試料の測定において、構成成分のイオン化効率を向上させるために、マトリックスやアルカリ金属塩、酸性物質の水溶液を試料に噴霧や滴下によって供給する方法が行われてきた。例えば、本発明者らは、酸性物質水溶液を試料に滴下することで、ＴＯＦ−ＳＩＭＳ測定において試料のイオン化効率を向上させることを見出した（特許文献１）。
【０００５】
一方、マトリックスや酸性物質を用いず、試料中に含まれる水分を用いる、あるいは外部から水分を付与することにより、試料構成成分へのプロトン付加を促進させる方法も知られている。
【０００６】
非特許文献１では、試料と水との混濁液を凍結させ、凍結した試料の破断面をTOF-SIMSで測定する方法が開示されている。
【０００７】
非特許文献２では、水雰囲気化で試料を冷却することで試料に水分を吸着させ、プロトン付加分子を生成させる方法が開示されている。
【先行技術文献】
【特許文献】
【０００８】
【特許文献１】米国特許７４４６３０９
【非特許文献】
【０００９】
【非特許文献１】Ａｎａｌｙｔｉｃａｌ  Ｃｈｅｍｉｓｔｒｙ  ２００３，７５，Ｐ．    ４０８７
【非特許文献２】Ｌａｎｇｍｕｉｒ  ２００８，２４，Ｐ．７９０６
【発明の概要】
【発明が解決しようとする課題】
【００１０】
滴下によって水溶液を試料に付与し、イオン検出効率を向上させる方法では液滴中に水溶性の試料構成成分が流出してしまう場合がある。このため、試料構成成分が持つ本来の分布情報が得られない。
【００１１】
また、非特許文献１および２の方法では、試料表面を覆う大量の氷によってイオン検出感度を低下させるという課題があった。
【００１２】
そこで本発明は、試料の構成成分の本来の分布情報を保持しつつ、感度良く検出できる試料分析方法および装置を提供することを目的とする。
【課題を解決するための手段】
【００１３】
上記課題を解決する本発明の試料分析方法は、試料に一次イオンビームを照射し、該試料から放出される二次イオンを質量分析法によって分析する試料分析方法であって、
【００１４】
チャンバー内に配置した試料を冷却する工程と、前記チャンバー内に水または水溶液を放出し、冷却された前記試料の表面に氷の層を形成する工程と、前記氷の層が形成された状態で、前記試料表面に前記一次ビームを照射する工程と、を有し、前記氷の層を形成する水の量が０．１ｎｇ／ｍｍ２以上２０ｎｇ／ｍｍ２以下であることを特徴とする。
【００１５】
また、上記課題を解決する本発明の分析装置は、試料に一次ビームを照射し、該試料から放出される二次イオンを分析する分析装置であって、前記試料を配置するチャンバー、前記チャンバー内の前記試料の表面に一次ビームを照射するための一次ビーム発生部、前記チャンバー内の前記試料を冷却する冷却機構、前記チャンバー内に水または水溶液を放出する放出部、前記試料から放出される二次イオンを質量分析手段へ導く引き出し電極、前記放出部から前記チャンバー内に放出される水または水溶液の量を制御する制御手段、を有し、前記チャンバー内に配置した試料を冷却した状態で前記放出部から水または水溶液を放出して前記試料の表面に氷の層を形成することを特徴とする。
【発明の効果】
【００１６】
本発明によれば、試料表面に規定量の氷を付与することで、対象物を構成する水溶性成分の流出を抑えつつ、高いイオン化促進効果を得ることができるようになる。これによって、本来の分布情報を保持しつつ、感度良く検出できる方法および装置が提供できる。
【図面の簡単な説明】
【００１７】
【図１】本発明の分析装置の例示
【図２】実施例１から３で用いる分析装置の概略図
【図３】実施例１と比較例１−１から１−４で得られるＴＯＦ−ＳＩＭＳ質量スペク    トルとそのイオンイメージ
【図４】（ａ）実施例１と比較例１−１から１−４における水分子イオンと構成成分イオンとのピーク面積強度の関係、（ｂ）構成成分イオンのピーク面積強度と氷付与量との関係、（ｃ）水分子の入射束から測定した氷の付与量と、水晶振動子モニターを用いて測定した氷の付与量との関係
【図５】実施例１と比較例１−５、１−６で得られるＴＯＦ−ＳＩＭＳイオンイメー    ジ
【図６】実施例２と比較例２で得られるＴＯＦ−ＳＩＭＳ質量スペクトルとイオンイ    メージ
【図７】実施例３と比較例３で得られるＭＡＬＤＩ質量スペクトル
【発明を実施するための形態】
【００１８】
＜分析装置の構成＞
図１に本実施形態の分析装置の一例を示す。図１で示すように、イオン、中性粒子、電子、並びに、レーザー光の中から選ばれる一つの一次ビームを発生する一次ビーム発生部３３を有する。一次ビーム発生部３３から発生した一次ビームが該試料１９に照射し、試料から放出されるイオンを分析することのできる分析装置である。照射場所を変えることにより照射位置の試料から二次イオンが放出され、引き出し電極１５の上部に接続した質量分析手段３４を用いて質量情報を取得する。取得した質量情報に基づいて、試料１９を構成する構成物の分布状態に関する情報が取得される。
【００１９】
対象物とは質量分析法で測定されるもの全てを指し、例として、高分子化合物、低分子化合物、有機化合物、無機化合物、生体、臓器、生体由来試料、組織切片、細胞、培養細胞、などをあげることができる。対象物を構成する構成物の例としては、有機化合物、無機化合物、タンパク質、ペプチド、糖鎖、ポリヌクレオチド、オリゴヌクレオチド、などをあげることができる。
【００２０】
質量分析法は、あらゆる質量分析法を用いることができるが、とりわけ、イオン化法としてＭＡＬＤＩ、ＳＩＭＳ、ＦＡＢ（Ｆａｓｔ  Ａｔｏｍ  Ｂｏｍｂａｒｄｍｅｎｔ、高速原子衝突）を採用し、分析部としては、飛行時間型、磁場偏向型、四重極型、イオントラップ型、フーリエ変換イオンサイクロトロン共鳴型を採用するものをあげることができる。これらの質量分析手段のいずれかが、図１の引き出し電極１５の上部に配置される。
【００２１】
これらの質量分析方法においては、質量に関する情報は、質量を電荷で除した値（質量電荷比  ｍ／ｚ）における信号強度として得られる。本発明の分析装置は、図１に例示するように、一次ビーム２１を照射する一次ビーム発生部３３を備え、引き出し電極１５で試料から脱離したイオン１６を加速して質量分析手段へ引き込み、上記の質量分析を行う機構を備えている。一次ビームとしては、イオンビームが好ましい。
【００２２】
図１に例示するように、本発明の分析装置は、測定チャンバー１１の外部に置かれた液体窒素タンク１２との熱接触により、試料を冷却できる試料冷却機構（冷却部）１８、加熱のための電熱線ヒーター（加熱部）１４、温度モニターのための熱電対１３を試料１９の下部に備えている。この温度調節機構は、試料を＋４０℃から−１６０℃の範囲においてある一定の温度に保つことができる。
また、本形態の分析装置には、チャンバー内に水または水溶液を放出する放出部２２と、チャンバー内に放出される水または水溶液の量を制御する制御手段２３が設けられている。
【００２３】
本実施形態において放出部は、溶液成分を含むガス２３を放出するガスリークノズル２２として配置されている。このガスリークノズル２２は、測定チャンバー１１の外部に取り付けられた溶液タンク２４とキャリアガスボンベ２６に、気液混合バルブ２５を通して接続されている。気液混合比を変えることで、放出のガス中に含まれる溶液の濃度、すなわちチャンバ―に放出される水または水溶液の量を調節することができる。このとき、チャンバー内の汚染や真空系の負担を抑えるため、ガスリークノーズ２２の放出口は出来るだけ試料表面近傍に設置することが望ましい。
【００２４】
ここでガス状に放出する溶液とは、単に水だけを用いてもよいが、さらにはイオン化効率を増大させる効果のあるマトリックスや、アルカリ金属塩、酸性物質のいずれかを溶質成分とする水溶液を用いてもよい。マトリックスの例として、α−シアノ−４−ヒドロキシケイ皮酸（ＣＨＣＡ：α−Ｃｙａｎｏ−４−ｈｙｄｒｏｘｙｃｉｎｎａｍｉｃ  ａｃｉｄ）、２，５−ジヒドロキシ安息香酸（ＤＨＢＡ：２，５−Ｄｉｈｙｄｒｏｘｙｂｅｎｚｏｉｃ  ａｃｉｄ）、シナピン酸（ＳＡ：Ｓｉｎａｐｉｎｉｃ  ａｃｉｄ）などをあげることができる。アルカリ金属塩の例として、炭酸ナトリウム、炭酸カリウム、塩化ナトリウム、塩化カリウムなどをあげることができる。酸性物質の例として、酢酸、トリフルオロ酢酸（ｔｒｉｆｌｕｏｒｏａｃｅｔｉｃ  ａｃｉｄ）やパーフルオロスベリン酸（Ｐｅｒｆｌｕｏｒｏｓｕｂｅｒｉｃ  ａｃｉｄ）をあげることができる。またキャリアガスの例としては、窒素ガス、アルゴンガスなどの不活性なガスをあげることができる。
【００２５】
（試料の分析方法）
以下に、図１の分析装置を用いて試料を分析する方法について説明する。
図１のように試料を測定チャンバー１１内に配置した状態で試料を冷却する。冷却の際、チャンバー内の水分が試料に付着することを避けるため、減圧条件下で冷却するとよい。この際、１０×１０−６Ｐａ以下、好ましくは３×１０−６Ｐａ以下にするとよい。
続いて、チャンバー内に水または水溶液を放出し、冷却された前記試料の表面に氷の層を形成する。以下で説明するように、氷の層を形成する工程は、水または水溶液の放出量を制御してチャンバ―内に放出することで、試料表面に形成される氷の量を精度よく制御することができる。この後、氷の層が形成された状態で、試料表面に一次ビームを照射することで、試料からイオン（二次イオン）が放出される。放出された二次イオンを引き出し電極１５を介して質量分析手段３３に二次イオンを導き、質量分析を行うことができる。
本発明者らは、試料表面に形成される氷の層に着目し、鋭意検討を行った。
この結果、一次イオンビームを照射する試料表面に形成される氷の層において、その水の量が０．１ｎｇ／ｍｍ２以上２０ｎｇ／ｍｍ２以下とすることで、イオン検出感度が高く、且つ試料の構成成分の本来の分布情報を保持できることを見出し、本願発明を成したものである。
【００２６】
＜氷の層を形成する工程＞
測定チャンバー１１内を真空にする。続いて気液混合バルブ２５を開放することで、溶液成分を含むガスがガスリークノズル２２の先から放出される。このとき試料１９をあらかじめ溶液の凝固点または昇華点以下の温度に冷却しておくことで試料１９の表面に溶液成分が氷状態で吸着し、氷２０が形成される。このとき、放出ガスに含まれる溶液成分の濃度や、ガス放出量、試料のガス雰囲気中への暴露時間、及び試料温度を調節することで、試料表面に形成される氷２０の付着量を調節できる。
【００２７】
また、他の氷形成の方法として、エレクトロスプレー法や電子スプレー法により、溶液を液体の状態で試料表面に噴霧しても良い。この際、溶液を噴霧する前に不活性化ガスをチャンバー１１内にある一定の圧力で満たしておいても良い。溶液ができるだけ微小な液滴を形成しながら試料表面に均一の量で吸着するように、スプレーノズル先端の形状、スプレーの噴霧速度、噴霧量、試料表面までの距離、不活性ガスの種類、圧力などのパラメターを細かく調節する必要がある。上述と同じく、試料１９をあらかじめ溶液の凝固点または昇華点以下の温度に冷却しておくことで、試料１９表面に氷状態で溶液成分が付着する。
【００２８】
試料表面に形成される氷は、離散的に分布する形態、あるいは、連続的な膜状の形態を有することができる。離散的に分布する形態としては、点状、または、島状、或いは、離散的な島状の形態が一部で連なった不連続な膜状の形態をとることができる。これらは、不連続膜の一形態とみなすこともできる。氷が連続的な膜状である場合、膜厚が均一である場合、或いは膜厚が不均一な不均一膜の形態を取ることができる。氷が膜状の形態を有するとみなした場合、氷の平均膜厚は、氷の密度を用いて質量から換算することができる。氷の密度を０．９３ｇ／ｃｍ３とした場合、平均氷量１０ｎｇ／ｍｍ２は、平均膜厚１１ｎｍに相当する。
【００２９】
上記方法で形成される氷２０は、一次ビーム２１が試料１９表面に到達でき、且つ、試料１９構成成分の脱離を阻害しない付着量、および形態に制御される。
【００３０】
１次ビームにイオンを用いた際には、氷２０の量は試料表面１ｍｍ２当たり２０ｎｇ（２０ｎｇ／ｍｍ２）以下、または、０．１ｎｇ／ｍｍ２以上２０ｎｇ／ｍｍ２以下の範囲にあることが好ましい。或いは好適な氷の平均膜厚は２２ｎｍ以下、または０．１１ｎｍ以上２１．５ｎｍ以下の範囲にあるということもできる。
【００３１】
また、水分や、マトリックス、アルカリ金属塩、酸性物質、の付着がイオン化効率増大の効果を十分に発揮する氷の付着量は、１０ｎｇ／ｍｍ２以下、または、０．１ｎｇ／ｍｍ２以上１０ｎｇ／ｍｍ２以下の範囲にあることを本発明者らは見出している。これは、好適な氷の平均膜厚は１１ｎｍ以下、または０．１ｎｍ以上１１ｎｍ以下の範囲にあるということもでき、これらの範囲に試料表面の氷の量を制御することが好ましい。
【００３２】
レーザー光はイオンビームに比べより多くの氷を貫通でき、且つ試料をイオン化できる領域も広い。ＭＡＬＤＩ法では一般的に、マトリックスを含む試料を用い、数ｎｓ程度のパルス幅を持つレーザーが用いられる。試料へ照射されたレーザーは、試料の深さ方向数ｕｍの領域まで到達する。そして試料が吸収したレーザーエネルギーは熱エネルギーに変換され、試料の一部が気化あるいは昇華され、イオン化されて検出される。従って、１次ビームにレーザー光を用いた際には、氷２０の量は１０００ｎｇ／ｍｍ２以下、または、０．１ｎｇ／ｍｍ２以上１０００ｎｇ／ｍｍ２以下の範囲にあることが好ましい。或いは好適な氷の平均膜厚は１０７５ｎｍ以下、または０．１ｎｍ以上１０７５ｎｍ以下の範囲にあるということもできる。
【００３３】
試料１９表面に形成される氷の量を制御する方法として、赤外光や可視光の反射率変化を用いて氷付着量を計測し、適切な量の氷が形成されるように制御する方法がその一例としてあげられる。また、水晶振動子センサー（ＱＣＭ：Ｑｕａｒｔｓ  Ｃｒｙｓｔａｌ  Ｍｉｃｒｏｂａｌａｎｃｅ）を試料１９近傍に設け、且つ試料と同じ温度に保ち、付着させる氷の質量を計測し、適切な量の氷が形成されるように制御する方法がその一例としてあげられる。あるいは、導入する水の分圧の計測値と導入時間、試料温度から、試料へ衝突する水分子の入射束を計算することで氷の付着量を計算し、適切な量の氷が形成されるように制御する方法がその一例としてあげられる。
【００３４】
ただし、用いる質量分析装置の構成や試料の種類によって、最適な氷２０の量は異なる。用いる質量分析装置の構成や試料の種類に最適な氷の量を知るための手段として、あらかじめ一旦過剰の氷を形成した試料を用意し、測定チャンバー１１内で試料を測定しながら、基板の温度を高めて徐々に氷２０の付着量を減らしていく方法がその一例としてあげられる。氷２０の量を変えたいくつかの試料１９より得られる水分子イオン（Ｈ３Ｏ＋）と試料構成成分イオン信号強度を質量分析で計測し、Ｈ３Ｏ＋と試料構成成分イオンの信号強度の信号強度相関表を作製する。該相関表により、好適な氷２０の付着量に対応するＨ３Ｏ＋の信号強度の値を知ることができる。さらには、氷２０の付着量を変えたいくつかの試料１９で、試料１９脇の試料がついていない基板箇所について質量分析を行い、Ｈ３Ｏ＋と試料構成成分イオンの信号強度の信号強度相関表を作製する。試料１９脇の基板箇所から得られる該Ｈ３Ｏ＋の信号強度には、試料１９内部に含まれる水分の信号が含まれていない。そのため、該相関表により、より正確に、好適な氷２０の付着量に対応するＨ３Ｏ＋の信号強度の値を得ることができる。
【００３５】
信号強度相関情報を有する上述の信号強度相関表を作製後、同じ装置の構成で、同じ種類の試料１９の質量分析を行う際には、この相関表を参照し、Ｈ３Ｏ＋の信号強度が最適な値になるように、氷２０の量を調節する。具体的には、氷２０が多い時は基板温度を上昇させて氷２０を減らし、氷２０が少ない時は上述の氷形成の工程を繰り返す。最適な量の氷２０に調節した後に試料１９構成成分の計測を行うことで、最適な状態で再現精度の高い計測を繰り返し行うことができる。
【００３６】
また長時間の測定においては、試料１９脇の基板箇所を測定することで、適宜、氷２０の付着量を確認することができる。氷２０が多い時は基板温度を上昇させて氷２０を減らす。氷２０が少ない時は上述の氷形成の工程を繰り返すことで氷２０を増やす。このようにして常に最適な量の氷２０を持った状態で計測を行うことができる。また、試料温度を氷の蒸発温度以下に保ち、かつ真空中に残存する水分子の付着を抑えることのできる温度、真空状態に保つことで氷２０の付着量を一定に長時間保持することができる。
【００３７】
図１において、上記氷の層を形成する工程と、前記試料表面に前記一次ビームを照射する工程は同じ測定チャンバ―１１で行う構成であるが、これに限らず、図２のように氷の層を形成する工程で使用するチャンバ―と、前記試料表面に前記一次ビームを照射する工程で使用するチャンバ―を分離しても良い。この場合、冷却した状態で試料を移動する移動機構３５を設けるとよい。またチャンバ―間に開閉機構３６を設け、放出した水分が測定チャンバ１１に侵入しないように構成すると良い。
【００３８】
＜構成成分の質量分析＞
氷２０を形成した後、試料１９の温度を保ったまま、気液混合バルブ２５を閉じてガスを排気してから質量分析を行う。表面に形成された氷２０の働きにより試料構成成分へのプロトン付加が促進され、高感度に試料１９構成成分を検出することができる。また、溶液成分が氷状態で付着することにより、試料１９の水溶成分の流出を抑えることができ、試料１９構成成分の本来の分布情報を維持したままの検出が可能となる。さらに、質量分析中も試料温度を氷の蒸発温度以下に保ち、かつ真空中に残存する水分子の付着を抑えることのできる温度、真空状態に保つことで氷２０の付着量を一定に長時間保持することができ、長時間の安定した検出が可能となる。
【００３９】
（実施例）
以下、実施例および比較例を挙げて本発明をより具体的に説明する。以下の具体例は本発明にかかる最良の実施形態の一例ではあるが、本発明はかかる具体的形態に限定されるものではない。
【００４０】
（実施例１：ＴＯＦ−ＳＩＭＳ測定における効果１）
［試料の準備］
実施例１ではヒト由来ペプチド分子「ＡｎｇｉｏｔｅｎｓｉｎＩＩ（Ｍｗ：１０４６，Ｃａｌｉｆｏｒｎｉａ  Ｐｅｐｔｉｄｅ  Ｒｅｓｅａｒｃｈ  Ｉｎｃ．製）」を測定対象物とした。まず該測定対象物をイオン交換水に１０−６Ｍで溶解した溶液を調製した。その溶液を用いて、インクジェット吐出器（製品名：パルスインジェクター、Ｃｌｕｓｔｅｒ  ｔｅｃｈｎｏｌｏｇｙ社製）によりシリコンウェハー上にＡｎｇｉｏｔｅｎｓｉｎＩＩのインクジェットプリント・ドットパターンを形成したものを用いた。印字で形成される１ドットのサイズは直径約１２０μｍで、各ドットに約３０ｆｍｏｌのＡｎｇｉｏｔｅｎｓｉｎＩＩ分子が存在している。このドットを測定することで検出強度の比較や構成成分の流出の評価に用いることができる。
【００４１】
［水分だけを含む氷の形成］
実施例で用いる本発明の質量分析装置は、図２に示すように測定チャンバー１１とプレチャンバー３１による２室構成となっていて、互いに試料ホルダー１７を移動できる機構を持つ。まず、プレチャンバー３１内で、試料上に水分だけを含む氷２０の形成を行った（図２（Ｉ））。
【００４２】
該ＡｎｇｉｏｔｅｎｓｉｎＩＩのドットパターン試料１９を試料ホルダー１７上に固定し、プレチャンバー３１内に設置して２×１０−６Ｐａの真空に排気する。その後、試料１９を−１４０℃に冷却して、Ｈ２Ｏリークバルブ３２を開く。水分を含んだガスがプレチャンバー３１内を満たすにしたがって試料１９表面に氷２０が形成される。この時、水晶振動子センサーを用いて氷の付着量を求め、所定の量を付着させた後、Ｈ２Ｏリークバルブ３２を閉じる。試料１９の温度を−１４０℃付近に保った状態で、導入したガスを排気し、測定チャンバー１２内に試料ホルダー１７ごと移動させて、試料１９の質量分析を行った（図２（ＩＩ））。
【００４３】
［ＴＯＦ−ＳＩＭＳ測定］
質量分析法としてＴＯＦ−ＳＩＭＳ測定法を用いた。測定はＩＯＮ−ＴＯＦ社製  ＴＯＦ−ＳＩＭＳ５型装置（商品名）を用い、以下の測定条件で行った。
【００４４】
１次イオン：２５ｋＶ  Ｂｉ３＋、１ｐＡ（パルス電流値）、ｒａｎｄｏｍスキャンモード
１次イオンのパルス周波数：５ｋＨｚ（２００μｓ／ｓｈｏｔ）
１次イオンパルス幅：約１ナノ秒
１次イオンビーム直径：約１μｍ
測定領域：２００μｍ  ×  ２００μｍ
２次イオンの測定点数：１２８×１２８点
積算時間：１６回スキャン（約５２秒）
２次イオン引き出し電極電圧：−２ｋＶ
２次イオンの検出モード：正イオン
測定は、該ＡｎｇｉｏｔｅｎｓｉｎＩＩのドットパターンにおけるそれぞれの１ドットについて行った。
【００４５】
＜氷形成による検出強度の増加＞
上述の方法で氷をサンプル表面１ｍｍ２あたり約１ｎｇ付着させた後、試料温度−１４０℃にて測定したＡｎｇｉｏｔｅｎｓｉｎＩＩの１ドットから検出された［ＡｎｇｉｏｔｅｎｓｉｎＩＩ＋Ｈ］＋（ｍ／ｚ１０４６．８）の質量スペクトルを図３（ａ）に示す。また、同時に得られた水分子イオンの［Ｈ３Ｏ］＋（ｍ／ｚ１９）と［ＡｎｇｉｏｔｅｎｓｉｎＩＩ＋Ｈ］＋のそれぞれのイオンイメージを図３（ａ）下部に示す。付与した氷の量１ｎｇ／ｍｍ２は、氷の密度を約０．９３ｇ／ｃｍ３として平均膜厚に換算すると、約１．１ｎｍと算出される。
【００４６】
（比較例１−１）
比較として、氷を付着させてない同じＡｎｇｉｏｔｅｎｓｉｎＩＩの１ドットを、試料温度２５℃にて測定した、［ＡｎｇｉｏｔｅｎｓｉｎＩＩ＋Ｈ］＋の質量スペクトルを図３（ｂ）に示す。また、同時に得られた  ［Ｈ３Ｏ］＋と  ［ＡｎｇｉｏｔｅｎｓｉｎＩＩ＋Ｈ］＋のイオンイメージを図３（ｂ）下部に示す。
【００４７】
ここで、表示のスケールはスペクトル強度、イメージ強度ともに、図３（ａ）から（ｅ）まで同一にして表示してある。
【００４８】
実施例１で作製した試料では氷の付与を行っているため［Ｈ３Ｏ］＋の信号強度が強い（図３（ａ））。一方、（ｂ）の試料は氷の付与を行っていないため［Ｈ３Ｏ］＋の信号強度は弱い。本方法で氷を付与した試料の質量分析測定では、氷を付与しない試料の測定に比べて、試料構成成分である［ＡｎｇｉｏｔｅｎｓｉｎＩＩ＋Ｈ］＋のイオン検出強度が約９倍となった。これは、氷の付着量の違いによって、試料構成成分へのプロトン付加効率が異なることに由来すると考えられる。
【００４９】
（比較例１−２）
比較として、ＡｎｇｉｏｔｅｎｓｉｎＩＩの１ドットを、試料温度−１４０℃に冷却して測定した［ＡｎｇｉｏｔｅｎｓｉｎＩＩ＋Ｈ］＋の質量スペクトルを図３（ｃ）に示す。また、同時に得られた  ［Ｈ３Ｏ］＋と  ［ＡｎｇｉｏｔｅｎｓｉｎＩＩ＋Ｈ］＋のイオンイメージを図３（ｃ）下部に示す。
【００５０】
氷を付与していない試料（図３（ｂ））と比較すると、図３（ｃ）の［Ｈ３Ｏ］＋の信号強度は強い。しかし、実施例１の方法で氷の付与を行っている試料（図３（ａ））と比べると、図３（ｃ）の［Ｈ３Ｏ］＋の信号強度は弱い。また、試料構成成分である［ＡｎｇｉｏｔｅｎｓｉｎＩＩ＋Ｈ］＋の検出強度については、図３（ｃ）は、図３（ａ）より弱く、図３（ｂ）よりは強い。これは、測定チャンバー内に残存するわずかな水分子が冷却によって試料に付着するために、氷を付与していない試料（図３（ａ））よりは試料構成成分へのプロトン付加効率が高くなるためと考えられる。しかし、適正な量の氷を付与できていないため、実施例１の方法で氷の付与を行っている試料（図３（ａ））よりは試料構成成分へのプロトン付加効率が低くなっていると考えられる。本比較例において、試料へ衝突する水分子の入射束から水の付着量を見積もると、約０．１ｎｇ／ｍｍ２であった。
【００５１】
（比較例１−３）
比較として、真空のプレチャンバー３１内で試料温度−１４０℃に冷却したＡｎｇｉｏｔｅｎｓｉｎＩＩのドットパターン試料を、大気中（湿度２０％）に３分間放置して、大気中の水分を氷状態で付着させた試料を作製した。この試料を冷却せずに、チャンバー内で再び真空に排気した。冷却せずに上述の測定条件で検出された［ＡｎｇｉｏｔｅｎｓｉｎＩＩ＋Ｈ］＋の質量スペクトル、および、［Ｈ３Ｏ］＋と  ［ＡｎｇｉｏｔｅｎｓｉｎＩＩ＋Ｈ］＋のイオンイメージを図３（ｄ）に示す。
【００５２】
実施例１の方法で氷の付与を行っている試料（図３（ａ））と比べて、図３（ｄ）の試料では、試料構成成分である［ＡｎｇｉｏｔｅｎｓｉｎＩＩ＋Ｈ］＋の検出強度は小さい。図３（ｄ）の［Ｈ３Ｏ］＋の信号強度が弱いことからも判るように、冷却した試料を大気中に置くことで大気中の水分が吸着するものの、冷却をしないで真空中に戻すことで試料温度が上昇し、試料に吸着していた水成分が急速に蒸発してしまう。この結果、付着水分量が減少し、試料構成成分へのプロトン付加が十分に促進されなかったため、試料構成成分である［ＡｎｇｉｏｔｅｎｓｉｎＩＩ＋Ｈ］＋の検出強度が小さくなったと推測される。
【００５３】
（比較例１−４）
比較例１−３と同様に、真空のプレチャンバー３１内で試料温度−１４０℃に冷却した該ＡｎｇｉｏｔｅｎｓｉｎＩＩのドットパターン試料を、大気中（湿度２０％）に３分間放置して、大気中の水分を氷状態で付着させた試料を作製する。この試料を試料温度−１４０℃に冷却しながら、再びチャンバー内で真空に引いた。冷却しながら上述の同じ測定条件で検出された［ＡｎｇｉｏｔｅｎｓｉｎＩＩ＋Ｈ］＋の質量スペクトル、および、  ［Ｈ３Ｏ］＋と  ［ＡｎｇｉｏｔｅｎｓｉｎＩＩ＋Ｈ］＋のイオンイメージを図３（ｅ）に示す。
【００５４】
実施例１の方法で氷の付与を行っている試料（図３（ａ））と比べて、図３（ｅ）の試料では、試料物構成成分である［ＡｎｇｉｏｔｅｎｓｉｎＩＩ＋Ｈ］＋の検出強度は小さい。これは、図３（ｅ）の［Ｈ３Ｏ］＋の信号強度が強いことからも判るように、試料表面には多量の氷２０が形成されている。そのため、１次ビーム２１のイオンが試料表面に十分に到達できない、または、試料構成成分イオンの脱離が阻害されることで、試料構成成分である［ＡｎｇｉｏｔｅｎｓｉｎＩＩ＋Ｈ］＋の検出強度が低下したためと思われる。このように、冷却した試料を大気中に置くことで大気中の水分を吸着させ、試料を冷却したまま測定を行う方法では、氷が過剰に形成され、試料構成成分の検出強度が小さくなることが判る。
【００５５】
＜氷の付着量による構成成分検出強度の変化＞
形成される氷２０の付着量に対する試料１９構成成分の検出強度の変化を調べるため、上述の（実施例１）、（比較例１−１から１−４）、および、氷２０の付着量を変えた該ＡｎｇｉｏｔｅｎｓｉｎＩＩのドットパターン試料を用意した。それぞれの１ドットを上述の同じ条件で質量分析し、得られた質量スペクトルにおける  ［ＡｎｇｉｏｔｅｎｓｉｎＩＩ＋Ｈ］＋と［Ｈ３Ｏ］＋のピーク面積強度の関係を図４（ａ）に示す。グラフ中に指標で指し示したデータポイント４１、４２−１、４２−２、４２−３、４２−４、のそれぞれが、（実施例１）、（比較例１−１、１−２、１−３、１−４）で得られた値を示している。また、図４（ｂ）に水晶振動子センサーを用いて測定した各サンプルの氷の付着量と［ＡｎｇｉｏｔｅｎｓｉｎＩＩ＋Ｈ］＋のピーク面積強度の関係を示す。
【００５６】
図４（ａ）では、横軸の［Ｈ３Ｏ］＋のピーク面積強度は形成される氷２０の付着量と相関している。図４のグラフから判るように、氷２０の付着量を変えることで、試料１９構成成分の検出強度が変化する様子が判る。
【００５７】
また（比較例１−４）で述べたように、指標４２−４で示されるデータポイントでは試料表面に多くの氷２０が形成されているため、一次ビーム２１が氷２０を十分に貫通できず試料構成成分の検出強度が低下している。同じように、指標４２−１、４２−２、４２−３で示される横軸［Ｈ３Ｏ］＋ピーク面積強度の位置付近では、試料構成成分へのプロトン付加を十分に促進できる量の氷が形成されていない。一方、指標４１で示される横軸［Ｈ３Ｏ］＋ピーク面積強度の位置付近では、試料構成成分へのプロトン付加を十分に促進できる氷の量が保持されていることを示している。図４（ｂ）から、付着させる氷量はサンプル表面１ｍｍ２当たり２０ｎｇ（２０ｎｇ／ｍｍ２）以下であれば、試料構成成分へのプロトン付加を促進させられることが分かる。
【００５８】
以上のことから、試料１９構成成分の検出強度を増大させて、かつ、安定に計測するためには、試料表面に適切な量の氷２０を形成し、その状態を一定に保つ必要があることが判る。なお、形成した氷２０の状態を一定に保つためには、試料１９の温度を氷の蒸発温度以下に保ち、かつ真空中に残存する水分子の付着を抑えることのできる温度、真空状態に保つことが有効である。
【００５９】
図４（ｃ）では、氷を付着させる工程において、試料へ衝突する水分子の入射束を求めることで氷の付着量を算出した結果と、水晶振動子モニターを用いて測定した氷の付着量とを比較した結果を示す。水分子の入射束は、四重極型質量分析計を用いてプレチャンバー３１内の水分圧を測定し、気体分子の運動論を用いて求めた。両手法による結果は比例しており、どちらの測定法を用いても精度よく氷の付着量を求めることができる。
【００６０】
＜氷形成による試料構成成分の分布情報の保持＞
該ＡｎｇｉｏｔｅｎｓｉｎＩＩのドットパターン試料を、まず氷を形成する前に、あらかじめ測定チャンバー１１内で上述の測定条件で計測しておく。続いて、プレチャンバー３１へ試料を移動し、試料表面に上述の方法で氷を形成した。その後、再び測定チャンバー１１へ戻して、先ほどと同じ箇所のドットを同じ測定条件で計測した。図５（ａ）に、氷形成前のＡｎｇｉｏｔｅｎｓｉｎＩＩの１ドットから検出された水分子イオンの［Ｈ３Ｏ］＋（ｍ／ｚ１９）とナトリウム・イオンの［Ｎａ］＋（ｍ／ｚ２３）と［ＡｎｇｉｏｔｅｎｓｉｎＩＩ＋Ｈ］＋（ｍ／ｚ１０４６．８）のイオンイメージを示す。図５（ｂ）に、氷を形成後に（ａ）と同一箇所のドットから計測された（ａ）と同じ種類のイオンイメージを示す。ここで、ナトリウムは不純物として試料中にあらかじめ含まれていたものである。この図５（ａ）と（ｂ）から判るように、氷を形成した後でも対象物の構成物は流出することなく本来の分布情報が保持されている。
【００６１】
（比較例１−５）
試料構成成分の分布情報の保持状態を比較した例を示す。該ＡｎｇｉｏｔｅｎｓｉｎＩＩのドットパターン試料上に、大気中、かつ、常温で水の液滴（２μｌ）をマイクロピペッターで滴下して、上述と同じ測定条件で計測した場合の、図５（ａ）、（ｂ）と同じ種類のイオンイメージを図５（ｃ）に示す。図５（ｃ）では［Ｎａ］＋や［ＡｎｇｉｏｔｅｎｓｉｎＩＩ＋Ｈ］＋のイオンイメージが全面に広がってしまっている。これは液滴滴下による溶液付与を行うことで、試料構成成分が液滴中へ流出してしまうためである。このように液滴滴下による溶液付与では、試料構成成分の本来の分布情報が保持されないことが判る。
【００６２】
（比較例１−６）
試料構成成分の分布情報の保持状態を比較した例を示す。（比較例１−２）と同様に、真空のプレチャンバー３１内で試料温度を−１４０℃に冷却した該ＡｎｇｉｏｔｅｎｓｉｎＩＩのドットパターン試料を、大気中（湿度２０％）に３分間放置して、大気中の水分を氷状態で付着させた試料を作製した。この試料を冷却せずに、再びチャンバー内で真空に引いて、冷却せずに上述の同じ測定条件で検出した場合の、図５（ａ）から（ｃ）と同じ種類のイオンイメージを図５（ｄ）に示す。図５（ｄ）では［Ｎａ］＋や［ＡｎｇｉｏｔｅｎｓｉｎＩＩ＋Ｈ］＋のイオンイメージが広がって、輪郭がぼやけてしまっている。これは、冷却した試料を大気中に置くことで大気中の水分が吸着するものの、冷却をしないで真空中に戻す過程で、試料に吸着していた氷成分が試料表面で溶解し、そこに水溶性の試料構成成分が流出するためである。このように大気中で形成した氷付与試料を冷却せずに測定を行う方法では、試料構成成分の本来の分布情報が保持されないことが判る。
【００６３】
（実施例２：ＴＯＦ−ＳＩＭＳ測定における効果２）
［試料の準備］
実施例２では、ウシ由来ペプチド分子「Ｉｎｓｕｌｉｎ：以後、インスリンと表記（Ｍｗ：５７３３．８，ＳＩＧＭＡ  ＣＨＥＭＩＣＡＬ  ＣＯ．）」を測定対象物とする。まず、該測定対象物をイオン交換水に１０−７Ｍで溶解した溶液を調製する。その溶液を用いて、実施例１と同じようにインクジェット吐出器を用いて、金蒸着／シリコンウェハー基板上にインスリンのインクジェットプリント・ドットパターンを形成する。このとき印字で形成される１ドットのサイズは直径約１２０μｍで、各ドットに約４０ｆｍｏｌのインスリン分子が存在している。
【００６４】
また、実施例２では、ＴＯＦ−ＳＩＭＳ測定において、試料構成成分へのプロトン付加をさらに促進する酸性物質のトリフルオロ酢酸（ＴＦＡ：ｔｒｉｆｌｕｏｒｏａｃｅｔｉｃ  ａｃｉｄ、以後、ＴＦＡとする。ＳＩＧＭＡ  ＣＨＥＭＩＣＡＬ  ＣＯ．）の水溶液付与を行う。このＴＦＡ０．１ｗｔ％を含む水溶液を作製する。
【００６５】
［酸性物質を含む氷の形成］
該ＴＦＡを含む氷形成を行う。該ＴＦＡ水溶液をキャリアガスの窒素ガスと混合させ、リークバルブ３２を開き、該ＴＦＡ水溶液を５％ほど含んだ窒素ガスをリークノズル２２から放出させ、試料表面に吹き付ける。所定の量を吹き付けた後、リークバルブ３２を閉じ、プレチャンバー３１内を再び真空に戻したのち、試料１９の温度を低く保った状態で、測定チャンバー１１内に試料ホルダー１７ごと移動させて試料１９の質量分析を行う。
【００６６】
［ＴＯＦ−ＳＩＭＳ測定］
質量分析法としてＴＯＦ−ＳＩＭＳ測定法を用いる。測定は実施例１と同様の測定条件で行う。
【００６７】
＜酸性物質を含む氷形成による検出強度の増加＞
図６（ａ）に、上述の方法を用い、該ＴＦＡ成分を含む氷形成後のインスリン１ドットから検出される［Ｉｎｓｕｌｉｎ＋Ｈ］＋（ｍ／ｚ５７３４．６）の質量スペクトル６１と、同じ測定で得られる［Ｉｎｓｕｌｉｎ＋Ｈ］＋と総イオン（Ｔｏｔａｌ  ｉｏｎ）  のイオンイメージを図６（ｂ）に示す。
【００６８】
（比較例２）
比較として、該ＴＦＡ０．１ｗｔ％混合水溶液を用いて、ＴＦＡ成分をあらかじめ含むインスリンドットを上述と同じ方法で作製し、氷を形成しない状態で、同じ測定条件で検出した場合の  ［Ｉｎｓｕｌｉｎ＋Ｈ］＋質量スペクトル６２を、図６（ａ）に重ねて示す。
【００６９】
図６（ａ）のスペクトル６１と６２から判るように、該ＴＦＡ成分を含む同じインスリンドットでも、氷としてＴＦＡ成分を付与したインスリンドットから強く対象物の構成成分が検出される。これは、氷形成で試料上に水成分が保持されることで、酸性物質の作用による試料構成性成分へのプロトン付加が促進され、イオン化効率がさらに向上するためと推測される。
【００７０】
また、図６（ｂ）から判るように、該ＴＦＡ成分を含む氷形成により、試料構成成分の流出を抑制しながら検出できる。
【００７１】
（実施例３：ＭＡＬＤＩ測定における効果）
［試料の準備］
実施例３では、ウシ由来ペプチド分子「Ｉｎｓｕｌｉｎ  Ｃｈａｉｎ−Ｂ，  Ｏｘｉｄｉｚｅｄ（以後、ＩｎｓＢと表記。Ｍｗ：３４９５．９，ＳＩＧＭＡ  ＣＨＥＭＩＣＡＬ  ＣＯ．）」を測定対象物とする。まず、該測定対象物をイオン交換水に１０−７Ｍで溶解した溶液を調製する。その溶液を用いて、実施例１と同じようにインクジェット吐出器を用いて、ステンレス製のＭＡＬＤＩ試料ホルダーにＩｎｓＢのインクジェットプリント・ドットパターンを形成する。このとき印字で形成される１ドットのサイズは直径約１４０μｍで、各ドットに約４０ｆｍｏｌのＩｎｓＢ分子が存在している。
【００７２】
また、実施例３では、ＭＡＬＤＩ測定において、試料構成成分へのプロトン付加を促進するマトリックス剤ＤＨＢＡ（２，５−Ｄｉｈｙｄｒｏｘｙｂｅｎｚｏｉｃ  ａｃｉｄ、ＢＲＵＫＥＲ  ＤＡＬＴＮＩＣＳ社）の水溶液付与を行う。このＤＨＢＡをアセトニトリル：水＝１：１（容量比）の溶液に１０ｍｇ／ｍＬで溶解させてマトリックス水溶液を作製する。
【００７３】
［マトリックスを含む氷の形成］
実施例２と同様の方法で、該マトリックスを含む氷形成を行う。該マトリックス水溶液をキャリアガスの窒素ガスと混合させ、リークバルブ３２を開き、該マトリックス水溶液を５％ほど含んだ窒素ガスをリークノズル２２から放出させ、試料表面に吹き付ける。所定の量を吹き付けた後、リークバルブ３２を閉じ、プレチャンバー３１内を再び真空に戻したのち、試料１９の温度を低く保った状態で、測定チャンバー１１内に試料ホルダー１７ごと移動させて試料１９の質量分析を行う。
【００７４】
［ＭＡＬＤＩ測定］
質量分析法としてＭＡＤＬＩ法を用いる。図２の測定チャンバー１１は、ＢＲＵＫＥＲＤＡＬＴＮＩＣＳ社製  ａｕｔｏｆｌｅｘ  ｓｐｅｅｄ（商品名）に試料冷却機構を備えた装置である。測定条件は以下の通りである。
【００７５】
１次レーザーパルスビーム：波長３３７ｎｍ、出力２０％  
レーザーのパルス周波数：１０Ｈｚ
１次イオンパルス幅：約３ナノ秒
１次イオンビーム直径：約５μｍ
積算時間：１０回スキャン
２次イオン引き出し電極電圧：−２ｋＶ
２次イオンの検出モード：正イオン、スペクトル測定
試料温度：−１００℃
【００７６】
＜マトリックスを含む氷形成による検出強度の増加＞
図７に、該マトリックスを含む氷形成後のＩｎｓＢの１ドットから上述の測定条件で検出される  ［ＩｎｓＢ＋Ｈ］＋のＭＡＬＤＩ質量スペクトル７１を示す。
【００７７】
（比較例３）
比較として、該マトリックスを溶液と該ＩｎｓＢ溶液を１：１に混合した水溶液を作製し、マトリックス成分をあらかじめ含むＩｎｓＢドットを上述と同じ方法で作製する。このＩｎｓＢドットを、氷を形成しない状態で同じ測定条件で検出した場合の  ［ＩｎｓＢ＋Ｈ］＋のＭＡＬＤＩ質量スペクトル７２を、図７に重ねて示す。
【００７８】
図７のスペクトル７１と７２から判るように、該マトリックス成分を含むＩｎｓＢドットにおいて、氷としてマトリックス成分を付与したＩｎｓＢドットの試料から強く対象物の構成成分が検出される。これは、氷形成によって試料上に水成分が保持されることで、マトリックスの作用による試料構成成分へのプロトン付加が促進され、イオン化効率がさらに向上するためと推測される。
【符号の説明】
【００７９】
１１：測定チャンバー
１２：液体窒素タンク
１３：熱電対
１４：電熱線ヒーター
１５：引き出し電極
１６：試料成分イオン
１７：試料ホルダー
１８：試料冷却機構
１９：試料
２０：氷
２１：１次ビーム
２２：ガスリークノズル
２３：溶液を含んだガス
２４：溶液タンク
２５：気液混合バルブ
２６：キャリアガスボンベ
３１：プレチャンバー
３２：リークバルブ
４１：実施例１で得られる［ＡｎｇｉｏｔｅｎｓｉｎＩＩ＋Ｈ］＋のピーク面積強度
４２−１：比較例１−１で得られる［ＡｎｇｉｏｔｅｎｓｉｎＩＩ＋Ｈ］＋のピーク面積強度
４２−２：比較例１−２で得られる［ＡｎｇｉｏｔｅｎｓｉｎＩＩ＋Ｈ］＋のピーク面積強度
４２−３：比較例１−３で得られる［ＡｎｇｉｏｔｅｎｓｉｎＩＩ＋Ｈ］＋のピーク面積強度
４２−４：比較例１−４で得られる［ＡｎｇｉｏｔｅｎｓｉｎＩＩ＋Ｈ］＋のピーク面積強度
６１：実施例２で得られるＴＯＦ−ＳＩＭＳ質量スペクトル
６２：比較例２で得られるＴＯＦ−ＳＩＭＳ質量スペクトル
７１：実施例３で得られるＭＡＬＤＩ質量スペクトル
７２：比較例３で得られるＭＡＬＤＩ質量スペクトル
【図１】
0005854781.tif 000002
【図２】
0005854781.tif 000003
【図３】
0005854781.tif 000004
【図４】
0005854781.tif 000005
【図５】
0005854781.tif 000006
【図６】
0005854781.tif 000007
【図７】
0005854781.tif 000008